(57)【要約】【課題】高融点ワックスを含有するモイストタイプのファンデーションの汚れも落とせる化粧料の塗布具用の洗浄料組成物を提供する。【解決手段】揮発性炭化水素類、シリコーン類、植物油脂、又はエステル油の何れかの溶剤を含有することを特徴とする、化粧料の塗布具を洗浄するための洗浄料組成物。【選択図】  なし【特許請求の範囲】
【請求項１】
揮発性炭化水素類、シリコーン類、植物油脂、又はエステル油の何れかの溶剤を含有することを特徴とする、化粧料の塗布具を洗浄するための洗浄料組成物。
【請求項２】
前記シリコーン類が下記一般式（１）で表されるシリコーンであることを特徴とする、請求項１に記載の洗浄料組成物。
【化１】
2004277489.tif 000012
（式中Ｒは、それぞれ独立にメチル基又は炭素数６〜１２のアルキル基を表し、各々のＲは同じでも異なっていてもよい。但し、少なくとも１個のＲは炭素数６〜１２のアルキル基である。ｘは０〜１０の整数を表す。）
【請求項３】
前記一般式（１）で表されるシリコーンが、下記一般式（２）で表されるヘプタメチルオクチルトリシロキサンであることを特徴とする、請求項１又は２に記載の洗浄料組成物。
【化２】
2004277489.tif 000013
【請求項４】
更に、イミダゾリウムベタイン系、アミドベタイン系又はベタイン系両性界面活性剤を含有することを特徴とする、請求項１〜３の何れか１項に記載の洗浄料組成物。
【請求項５】
更に、ポリエチレングリコールのジ脂肪酸エステルを含有することを特徴とする、請求項１〜４の何れか１項に記載の洗浄料組成物。
【請求項６】
更に、ポリオキシエチレン中鎖脂肪酸グリセリルエステルを含有することを特徴とする、請求項１〜５の何れか１項に記載の洗浄料組成物。
【請求項７】
更に、ポリオキシアルキレンアルキルエーテルを含有することを特徴とする、請求項１〜６の何れか１項に記載の洗浄料組成物。
【請求項８】
化粧料の塗布具が、ファンデーション用のパフであることを特徴とする、請求項１〜７の何れか１項に記載の洗浄料組成物。
【発明の詳細な説明】
【０００１】
【発明の属する技術分野】
本発明は、化粧料の塗布に用いるパフ等の化粧料の塗布具を洗浄するために用いられる洗浄料組成物に関する。
【０００２】
【従来の技術】
ファンデーションなどのメークアップ化粧料の最大の課題は、美しい仕上がりを長時間持続させることであり、この為、種々の技術が開発されてきている。例えば、使用する粉体の表面処理についてや、密着性が良く崩れにくい剤形について各研究がなされている。
【０００３】
しかし、この様な化粧持ち向上技術が開発されることによって、化粧料を塗布するのに用いるパフ、スポンジなどの塗布具に化粧料が付着して落ちにくくなる現象が現れてきている。この様な塗布具に残存した化粧料は、そのままにしておくとその後の化粧の効果に影響を与えるため、除去する必要がある。
【０００４】
そして、その目的からパフ用の洗浄料が開発されてきている。パフ用の洗浄料としては、その多くが界面活性剤を主成分とするものであり、該界面活性剤としては非イオン性界面活性剤と両性界面活性剤を併用するものが知られている（例えば、特許文献１〜４参照）。また、両性界面活性剤を用いずに非イオン界面活性剤を中心としたものも知られている（例えば、特許文献５参照）。
【０００５】
しかし、これらの技術により得られる塗布具用洗浄料では、ワックス分を多く含む、いわゆるモイストファンデーションと呼ばれるオイルゲルと固形白粉の中間タイプのファンデーションの除去は困難であった。
【０００６】
そこで、高融点ワックスを含有するモイストタイプのファンデーションの汚れも落とせるパフ等の塗布具用の洗浄料の開発が望まれていた。
【０００７】
一方、塗布具用の洗浄料に於いて、揮発性炭化水素類、シリコーン類、植物油脂又はエステル油脂の溶剤を含有するものは知られておらず、また、かかる揮発性炭化水素類、シリコーン類、植物油脂又はエステル油脂の何れかの溶剤を含有する塗布具用の洗浄料が、高融点ワックスを含有するモイストタイプのファンデーションの汚れも落とせる程の洗浄効果を有していることは全く知られていない。
【０００８】
【特許文献１】
特開２００１−１６４２８４号公報
【特許文献２】
特開平９−６７５９６号公報
【特許文献３】
特開昭６１−７３７９９号公報
【特許文献４】
特開昭６０−８４３９５号公報
【特許文献５】
特開２００２−６９４９０号公報
【０００９】
【発明が解決しようとする課題】
本発明は、この様な状況下為されたものであり、高融点ワックスを含有するモイストタイプのファンデーションの汚れも落とせる化粧料の塗布具用の洗浄料組成物を提供することを課題とする。
【００１０】
【課題を解決するための手段】
本発明者らは、上記課題を解決するため鋭意研究を重ねた結果、揮発性炭化水素類、シリコーン類、植物油脂及びエステル油脂からなる溶剤のうち１種又は２種以上を含有する洗浄料組成物が上記課題を解決できることを見出し、発明を完成させるに至った。
【００１１】
すなわち、本発明は、以下のとおりである。
（１）揮発性炭化水素類、シリコーン類、植物油脂、又はエステル油の何れかの溶剤を含有することを特徴とする、化粧料の塗布具を洗浄するための洗浄料組成物。
（２）前記シリコーン類が下記一般式（１）で表されるシリコーンであることを特徴とする、（１）に記載の洗浄料組成物。
【００１２】
【化３】
2004277489.tif 000002
（式中Ｒは、それぞれ独立にメチル基又は炭素数６〜１２のアルキル基を表し、各々のＲは同じでも異なっていてもよい。但し、少なくとも１個のＲは炭素数６〜１２のアルキル基である。ｘは０〜１０の整数を表す。）
（３）前記一般式（１）で表されるシリコーンが、下記一般式（２）で表されるヘプタメチルオクチルトリシロキサンであることを特徴とする、（１）又は（２）に記載の洗浄料組成物。
【００１３】
【化４】
2004277489.tif 000003
（４）更に、イミダゾリウムベタイン系、アミドベタイン系又はベタイン系両性界面活性剤を含有することを特徴とする、（１）〜（３）の何れかに記載の洗浄料組成物。
（５）更に、ポリエチレングリコールのジ脂肪酸エステルを含有することを特徴とする、（１）〜（４）の何れか１項に記載の洗浄料組成物。
（６）更に、ポリオキシエチレン中鎖脂肪酸グリセリルエステルを含有することを特徴とする、（１）〜（５）の何れか１項に記載の洗浄料組成物。
（７）更に、ポリオキシアルキレンアルキルエーテルを含有することを特徴とする、（１）〜（６）の何れか１項に記載の洗浄料組成物。
（８）化粧料の塗布具が、ファンデーション用のパフであることを特徴とする、（１）〜（７）の何れか１項に記載の洗浄料組成物。
【００１４】
【発明の実施の形態】
以下、本発明を詳細に説明する。
【００１５】
本発明の化粧料の塗布具用の洗浄料組成物は、揮発性炭化水素類、シリコーン類、植物油脂、又はエステル油の溶剤を１種又は２種以上組み合わせて含有することを特徴とする。
【００１６】
ここで溶剤とは、化粧料などで使用される、１気圧２５℃で液状の油性成分をいう。
【００１７】
また、本発明の洗浄料組成物には、上記揮発性炭化水素類、シリコーン類、植物油脂、又はエステル油のそれぞれに属する複数の溶剤を組み合わせて含有させることができる。具体的にいうと、例えばシリコーン類に属する２種以上の溶剤を組み合わせて含有させることができる。
【００１８】
上記揮発性炭化水素類、シリコーン類、植物油脂、及びエステル油脂に属する各溶剤の具体例として、以下のものが挙げられる。
【００１９】
揮発性炭化水素類としては、軽質流動イソパラフィン、炭素数１０以下のノルマルパラフィン等が挙げられる。
【００２０】
シリコーン類としては、上記一般式（１）で表されるシリコーン、ジメチルポリシロキサン（以下、「ジメチコン」ともいう）、フェニル基変性ジメチルポリシロキサン、環状ジメチルポリシロキサン、アミノ変性ジメチルポリシロキサン、ポリオキシアルキレン−ジメチルポリシロキサン共重合体等が挙げられる。
【００２１】
植物油脂としては、オリーブ油、ホホバ油、ピーナッツ油、大豆油、トウモロコシ油、小麦胚芽油、米ぬか油、アボガド油、椰子油、ごま油、菜種油等が挙げられる。
【００２２】
エステル油としては、全ての水酸基がアシル化されているアシル化ポリグリセリン、オレイン酸オクチルドデシル、ミリスチン酸イソプロピル、グリセリルトリイソオクタネート、グリセリルトリイソステアレート、セチルイソオクタネート、ミリスチン酸オクチルドデシル等が挙げられる。
【００２３】
上記溶剤のなかで、揮発性を有するものがより好ましく、具体的には、揮発性炭化水素、揮発性シリコーンが挙げられる。揮発性炭化水素としては、軽質流動イソパラフィンが好ましく例示でき、揮発性シリコーンとしては、ヘキサメチルトリシロキサン、オクタメチルシクロテトラシロキサン、デカメチルシクロペンタシロキサン等の環状ジメチルポリシロキサン類、粘度換算で１０センチストークス以下のジメチコン、ヘプタメチルオクチルトリシロキサン、ヘプタメチルヘキシルトリシロキサン等の一般式（１）に表されるシリコーン類等が好ましく例示できる。
【００２４】
また、上記溶剤のなかで、特に好ましいものは、上記一般式（１）で表されるシリコーン類である。
【００２５】
ここで、一般式（１）に於いて、Ｒはそれぞれ独立にメチル基又は炭素数６〜１２のアルキル基を表し、各々のＲは同じでも異なっていてもよい。但し、少なくとも１個のＲは炭素数６〜１２のアルキル基である。
【００２６】
このように炭素数が６〜１２の範囲にあると、揮発性も高くなりすぎず、溶剤効果も低下しない、使用性に優れたシリコーンとなる。
【００２７】
該アルキル基の具体例としては、へキシル基、オクチル基、デシル基などが挙げられる。
【００２８】
前記一般式（１）に於けるｘは０〜１０の整数を表し、好ましくは４以下であり、特に好ましくは１である。これはｘが小さいほど揮発性が高まり、１のとき特に好ましい揮発性が得られるからである。
【００２９】
また、揮発性等の観点から、一般式（１）においてＲで表される基のうち、８０％以上のＲは、メチル基であるとより好ましい。
【００３０】
前記一般式（１）で表されるシリコーンの中でも、前記一般式（２）で表されるヘプタメチルオクチルトリシロキサンが特に好ましく例示できる。
【００３１】
ヘプタメチルオクチルトリシロキサンは、公知の物質であり、その製造法も知られている。例えば、ヘプタメチルトリシロキサンと１−オクテンとの白金触媒存在下におけるヒドロシリル化反応により得ることができる。
【００３２】
また、既に市販されているものも存在するため、本発明では、かかる市販品を購入して利用することも出来る。かかる市販品としては、日本ユニカー株式会社製のシルソフト０３４が特に好適に例示できる。
【００３３】
本発明の洗浄料組成物に於いて、必須成分である上記の各溶剤成分（以下、「本発明で用いる溶剤」ともいう）は、高融点ワックスなどの除去しにくい成分を除去しやすくさせる作用を有する。
【００３４】
本発明の塗布具用の洗浄料組成物に於ける、本発明で用いる溶剤の好ましい含有量は、洗浄料組成物全量に対して、総量で１〜２０重量％が好ましく、更に好ましくは２〜８重量％である。これは、少なすぎると、高融点ワックスなどの除去効果が十分でないことがあるからである。上記範囲内であると塗布具における溶剤の不快な残り感もなくその後に行う化粧を損なうこともない。
【００３５】
本発明の塗布具用の洗浄料組成物の好ましい態様として、上記必須成分である本発明で用いる溶剤の他に、更に両性界面活性剤を含有させるとよい。
【００３６】
この両性界面活性剤としては、イミダゾリニウムベタイン系両性界面活性剤、アミドベタイン系両性界面活性剤、もしくは、ベタイン系両性界面活性剤等の各種ベタイン系両性界面活性剤が挙げられる。
【００３７】
そして、この両性界面活性剤の好ましい具体例としては、例えば、椰子油ジメチルアミノ酢酸ベタイン、ラウリルジメチルアミノ酢酸ベタイン、椰子油アミドベタイン、ラウリルイミダゾリニウムベタイン、ビス（ステアリル−Ｎ−ヒドロキシエチルイミダゾリン）クロル酢酸ベタイン、２−アルキル−Ｎ−ヒドロキシカルボキシメチル−Ｎ−ヒドロキシエチルイミダゾリニウム、２−アルキル−Ｎ−カルボキシメチル−Ｎ−ヒドロキシエチルイミダゾリニウムなどが特に好適に例示できる。
【００３８】
上記の中では、ビス（ステアリル−Ｎ−ヒドロキシエチルイミダゾリン）クロル酢酸ベタイン、２−アルキル−Ｎ−ヒドロキシカルボキシメチル−Ｎ−ヒドロキシエチルイミダゾリニウム、２−アルキル−Ｎ−カルボキシメチル−Ｎ−ヒドロキシエチルイミダゾリニウムが好ましく、かかる成分の市販品としては、何れも東邦化学株式会社製のオバゾリンＣＳ−６５（ビス（ステアリル−Ｎ−ヒドロキシエチルイミダゾリン）クロル酢酸ベタイン）、オバゾリン４０Ａ（２−アルキル−Ｎ−ヒドロキシカルボキシメチル−Ｎ−ヒドロキシエチルイミダゾリニウム）、オバゾリン６６２Ｔ（２−アルキル−Ｎ−カルボキシメチル−Ｎ−ヒドロキシエチルイミダゾリニウム）などが好ましく例示できる。
【００３９】
この両性界面活性剤は、塗布具から離脱させた汚れを水に配向させやすくする性質を有し、とりわけ、前記一般式（１）で表されるシリコーンとなじみが良く優れた汚れ落とし効果を発揮する。
【００４０】
本発明の洗浄料組成物に於いては、ベタイン系両性界面活性剤は唯一種でも、、二種以上組み合わせても含有することができる。
【００４１】
本発明の洗浄料組成物に於ける、ベタイン系両性界面活性剤の好ましい含有量は、洗浄料組成物全量に対して、総量で０．０１〜５重量％であり、更に好ましくは０．０５〜１重量％である。これは、少なすぎると前記の効果を発現しない場合があり、多すぎると効果が頭打ちになるからであり、上記範囲内であるとパフ等塗布具の変質促進を防止することができるからである。
【００４２】
本発明の塗布具用の洗浄料組成物の好ましい態様として、上記必須成分である本発明で用いる溶剤の他に、更にポリエチレングリコールのジ脂肪酸エステルを含有するとよい。
【００４３】
かかるポリエチレングリコールのジ脂肪酸エステルは、本発明で用いる溶剤とともに働いて、高融点ワックスなどのパフ等の塗布具上にある汚れを、塗布具から離脱させやすくする作用を発揮する。
【００４４】
かかるポリエチレングリコールのジ脂肪酸エステルを構成するポリエチレングリコールの分子量としては、２００〜１０００が好ましく、平均で６００〜１０００のものが特に好ましい。
【００４５】
また、脂肪酸残基としては、炭素数１２〜２４のものが好ましく、不飽和結合を有するものが特に好ましい。例えば、ラウリン酸残基、ミリスチン酸残基、パルミチン酸残基、ステアリン酸残基、ベヘン酸残基、オレイン酸残基、リノール酸残基、イソステアリン酸残基、１２−ヒドロキシステアリン酸残基等が好ましく挙げられ、中でもオレイン酸残基もしくはリノール酸残基がより好ましく、オレイン酸残基が特に好ましく挙げられる。
【００４６】
本発明の洗浄料組成物に於いては、ポリエチレングリコールのジ脂肪酸エステルは唯一種でも、二種以上組み合わせても含有することができる。
【００４７】
本発明の洗浄料組成物に於ける、ポリエチレングリコールのジ脂肪酸エステルの好ましい含有量は、洗浄料組成物全量に対して、総量で１０〜５０重量％であり、更に好ましくは２５〜４５重量％である。これは少なすぎると前記除去促進効果が損なわれる場合があり、多すぎると効果が頭打ちになるからである。
【００４８】
本発明の塗布具用の洗浄料組成物の好ましい態様として、上記必須成分である本発明で用いる溶剤の他に、更にポリオキシエチレン中鎖脂肪酸グリセリルエステル（以下、「ポリオキシエチレン中鎖脂肪酸グリセルズ」ともいう）を含有するとよい。
【００４９】
上記ポリオキシエチレン中鎖脂肪酸のポリオキシエチレンの平均の付加モル数は、５〜１０が好ましく、また、中鎖脂肪酸残基としては、椰子油脂肪酸残基、カプリン酸残基、カプリル酸残基、カプロン酸残基などが好適に例示できる。特に好ましくは、カプリル酸残基とカプリン酸残基が当モルで混在する形態のポリオキシエチレン中鎖脂肪酸である。
【００５０】
ポリオキシエチレン中鎖脂肪酸グリセルズの市販されているものとして、ハイバーオイルＨＥ（椰子油脂肪酸残基、ＰＯＥ７モル；交洋ファインケミカル株式会社製）、セチオールＨＥ（椰子油脂肪酸残基、ＰＯＥ７モル；コグニスジャパン株式会社製）、セチオールＨＥ８１０（カプリン酸残基・カプリル酸残基混合、ＰＯＥ７モル；コグニスジャパン株式会社製）が例示でき、これらの中ではセチオールＨＥ８１０が特に好ましく例示できる。
【００５１】
本発明の洗浄料組成物に於いては、ポリオキシエチレン中鎖脂肪酸グリセルズは唯一種でも、二種以上組み合わせても含有することができる。
【００５２】
かかるポリオキシエチレン中鎖脂肪酸グリセルズは本発明の洗浄料組成物からなる製剤の低温安定性及び高温安定性を向上させる作用を有する。
【００５３】
本発明の洗浄料組成物に於ける、ポリオキシエチレン中鎖脂肪酸グリセルズの好ましい含有量は、洗浄料組成物全量に対して、総量で３〜７重量％である。
【００５４】
本発明の塗布具用の洗浄料組成物の好ましい態様として、上記必須成分である本発明で用いる溶剤の他に、更にポリオキシアルキレンアルキルエーテルを含有するとよい。
【００５５】
前記ポリオキシアルキレンアルキルエーテルにおいて、オキシアルキレン基としては、オキシエチレン基、オキシプロピレン基、オキシブチレン基などが例示でき、これらオキシアルキレン基は、一分子中に一種を有することも二種以上を有することも出来る。好ましいものとしては、オキシエチレン基とオキシプロピレン基が例示でき、この両者を有する形態のものが特に好ましい。
【００５６】
オキシアルキレン基の平均付加モル数は、オキシアルキレン基が唯一種の場合であれば１０〜４０モルが好ましく、二種以上の場合はそれぞれが１〜２５モルで、オキシアルキレン基としての総和が１０〜４０であることが好ましい。
【００５７】
また、アルキル基としては炭素数１２〜２４のものが好ましく、具体的にはラウリル基、セチル基、ステアリル基、ベヘニル基等が好ましく例示できる。
【００５８】
かかるポリオキシアルキレンアルキルエーテルは市販されているものもあり、これを利用することが出来る。好ましい市販品としては、Ｃ１２を主体とした天然アルキル基を有し、オキシプロピレン基の平均付加モル数が３、オキシエチレン基の平均付加モル数が９のアデカトールＬＢ−９３（旭電化工業株式会社製）である。
【００５９】
本発明の洗浄料組成物に於いては、ポリオキシアルキレンアルキルエーテルは唯一種でも、二種以上組み合わせても含有することができる。
【００６０】
かかるポリオキシアルキレンアルキルエーテルは、粉体類をパフ等の塗布具から離脱させ、洗浄媒体中へ分散させる作用効果に優れる。
【００６１】
本発明の洗浄料組成物に於ける、ポリオキシアルキレンアルキルエーテルの好ましい含有量は、洗浄料組成物全量に対して、総量で１〜１０重量％であり、更に好ましくは２〜５重量％である。これは少なすぎると前記の作用を発揮しない場合があり、多すぎると効果が頭打ちになるからである。
【００６２】
尚、本発明で用いる必須成分である溶剤の他に、好ましい成分として挙げた上記ベタイン系両性界面活性剤、ポリエチレングリコールのジ脂肪酸エステル、ポリオキシエチレン中鎖脂肪酸グリセリルエステル、及びポリオキシアルキレンアルキルエーテルは、それぞれ単独でも、適宜組み合わせて含有させてもよい。好ましくはこの４種類全てを含有させるとよい。
【００６３】
本発明の洗浄料組成物は、前記必須の成分、及び前記好ましい成分以外に、通常洗浄料組成物で使用される任意の成分を含有することが出来る。
【００６４】
かかる任意の成分としては、例えば、前記必須成分や好ましい成分に属さない成分であって、スクワラン、流動パラフィン、重質流動イソパラフィン、マイクロクリスタリンワックス、固形パラフィンなどの揮発性炭化水素を除く炭化水素類、カルナウバワックス、モクロウ、ミツロウ、ゲイロウなどのエステル類、ステアリン酸、ラウリン酸、ミリスチン酸、パルミチン酸、イソステアリン酸、イソパルミチン酸、ベヘン酸、オレイン酸などの脂肪酸類、ベヘニルアルコール、セタノール、オレイルアルコール、オクタデシルアルコールなどの高級アルコール類、１，３−ブタンジオール、グリセリン、ジグリセリン、ジプロピレングリコール、ポリエチレングリコール、１，２−ペンタンジオール、１，２−ヘキシレングリコール、イソプレングリコールなどの多価アルコール、ソルビタンセスキオレート、ソルビタンモノオレート、ソルビタントリオレート、ソルビタンセスキステアレート、ソルビタンモノステアレート、ポリオキシエチレンソルビタンモノオレート、ポリオキシエチレンソルビタンモノステアレート、ポリオキシエチレンステアレート、ポリオキシエチレン硬化ヒマシ油、ポリオキシエチレン脂肪酸アミド類等の非イオン界面活性剤、ソジウムラウリルステアレート、ポリオキシエチレンアルキル硫酸塩、スルホコハク酸エステル塩、アルキルリン酸塩、ポリオキシエチレンアルキルリン酸塩などのアニオン界面活性剤、４級アルキルアンモニウム塩等のカチオン界面活性剤類、結晶セルロースや架橋型メチルポリシロキサン、ポリエチレン粉末、アクリル樹脂粉体等の有機粉体類、タルク、マイカ、セリサイト、炭酸マグネシウム、炭酸カルシウム、二酸化チタン、酸化鉄、紺青、群青、チタンマイカ、チタンセリサイト、シリカ等の表面処理されていても良い粉体類、アクリル酸・メタクリル酸アルキルコポリマー及び／又はその塩、カルボキシビニルポリマー及び／又はその塩、キサンタンガムやヒドロキシプロピルセルロースなどの増粘剤、レチノール、レチノイン酸、トコフェロール、リボフラビン、ピリドキシン、アスコルビン酸、アスコルビン酸リン酸エステル塩などのビタミンやグリチルリチン酸塩、グリチルレチン、ウルソール酸、オレアノール酸などのテルペン類、エストラジオール、エチニルエストラジオール、エストリオールなどのステロイド類などの有効成分、フェノキシエタノール、パラベン類、ヒビテングルコネート、塩化ベンザルコニウム等の防腐剤、ジメチルアミノ安息香酸エステル類、桂皮酸エステル類、ベンゾフェノン類などの紫外線吸収剤などが好ましく例示できる。
【００６５】
上記任意成分のうち、より好ましいものは、１，３−ブタンジオール、グリセリン、ジグリセリン、ジプロピレングリコール、ポリエチレングリコール、１，２−ペンタンジオール、１，２−ヘキシレングリコール、イソプレングリコールなどの多価アルコール類であり、中でも、１，３−ブタンジオール、ジプロピレングリコール、イソプレングリコール、１，２−ペンタンジオール、１，２−ヘキシレングリコールが特に好ましい。これらの多価アルコールは、洗浄料組成物の成分の相溶性を向上させ、ひいては汚れ落とし効果を向上させることができるからである。
【００６６】
本発明の洗浄料組成物に於いては、多価アルコールは唯一種でも、二種以上組み合わせても含有することができる。
【００６７】
本発明の洗浄料組成物に於ける、多価アルコールの好ましい含有量は、洗浄料組成物全量に対して、総量で５〜３０重量％であり、更に好ましくは１０〜２０重量％である。
【００６８】
また、本発明の洗浄料組成物に、任意成分としてアルキルポリグルコシドを含有させてもよい。このアルキルポリグルコシドは、洗浄料組成物からなる製剤の溶状をより安定化させることができる。
【００６９】
かかるアルキルポリグルコシドの好ましい市販品としては、炭素数８〜１０のアルキル基を有する、グルコポン２１５ＣＳＵＰ（コグニスジャパン株式会社製）が例示できる。
【００７０】
本発明の洗浄料組成物に於ける、アルキルポリグルコシドの好ましい含有量は、洗浄料組成物全量に対して、総量で０．１〜１重量％である。
【００７１】
本発明の塗布具用の洗浄料組成物は、上記の必須成分、好ましい成分、及び任意成分の各成分を常法に従って処理することにより、製造することが出来る。
【００７２】
このようにして得られた本発明の洗浄料組成物は、化粧持ちを改善するために高融点ワックスが配合されたファンデーションや表面処理粉体が配合されたファンデーションなどがパフ等の塗布具に付着しても、このようなファンデーションの汚れを塗布具から充分落とすことができる。
【００７３】
【実施例】
以下に、実施例を挙げて、本発明について更に具体的に説明を加えるが、本発明がかかる実施例にのみ限定されないことは言うまでもない。
【００７４】
＜実施例１＞
下記表１に示す処方に従って、本発明の塗布具用の洗浄料組成物を作製した。
【００７５】
即ち、処方成分を８０℃に加熱し、攪拌可溶化し、攪拌冷却して本発明の洗浄料組成物である、組成物１を得た。
【００７６】
このもののヘプタメチルオクチルトリシロキサンを流動パラフィンに置換した比較例１、スクワランに置換した比較例２、水に置換した比較例３を作成し、パフからのファンデーションの汚れ落とし作用を検討した。
【００７７】
パフとしては、ウレタンパフを用い、下記表２に示す試験用のファンデーション上を１０回擦過し、しかる後にセム皮にて余分なファンデーションをぬぐったものを試料とした。試験は試料に２ｍｌの洗浄組成物を滴下し、４回強くもんだ後、流水下１０回もみ洗いし、一晩乾燥させて、ファンデーションの残り具合を目視で次の基準に従って評価することにより化粧料除去効果を判定した。
【００７８】
また、同時にベタツキの程度も触感にて次の基準に従って判定した。
【００７９】
結果を表３に示す。
【００８０】
これより、本発明の洗浄料組成物は、パフからの化粧料除去効果が優れていることがわかる。また、組成物１は７０℃においても、−２℃においても透明な性状を保っていた。
（ファンデーションの残り具合判定基準）
スコア５：全くファンデーションが残っていない
スコア４：殆どファンデーションが残っていない
スコア３：よく観察すればファンデーションの残存が認められるが、気にならない
スコア２：ファンデーションがやや残っている
スコア１：ファンデーションが気になるほど残っている
（ベタツキの判定基準）
スコア５：ベタツキが全く感じられない
スコア４：ベタツキが殆ど感じられない
スコア３：ベタツキはあるものの気にならない
スコア２：ベタツキが少し気になる
スコア１：ベタツキが気になる
【００８１】
【表１】
表１
─────────────────────────────────
クエン酸ナトリウム                              ０．２重量部
ヘプタメチルオクチルトリシロキサン              ８    重量部
デカグリセリンペンタオレート                    ２    重量部
ジプロピレングリコール                        １４    重量部
ＰＯＥ（７）（カプリル酸／カプリン酸）グリセルズ
（セチオールＨＥ８１０）                                ６    重量部
ジオレイン酸ポリエチレングリコール（６００）  ４０    重量部
アルキルポリグルコシド
（グルコポン２１５ＣＳＵＰ）                            １    重量部
ポリオキシアルキレンアルキルエーテル
（アデカトールＬＢ−９３）                              ４    重量部
２−アルキル−Ｎ−カルボキシメチル−Ｎ−
ヒドロキシエチルイミダゾリニウム
（オバゾリン６６２Ｔ）                              １    重量部
エタノール                                          ２    重量部
水                                              ２１．８重量部
─────────────────────────────────
【００８２】
【表２】
表２  （評価用のファンデーション）
─────────────────────────────────
シリコーン処理二酸化チタン                      ２０    重量部
シリコーン処理酸化鉄                              ５    重量部
シリコーン処理セリサイト                        ３０    重量部
シリコーン処理マイカ                            １０    重量部
シリコーン処理チタンマイカ                        ５    重量部
シリコーン処理タルク                            １０    重量部
カルナウバワックス                                ３    重量部
マイクロクリスタリンワックス                      ２    重量部
ジメチコン                                      １０    重量部
流動パラフィン                                    ５    重量部
─────────────────────────────────
【００８３】
【表３】
2004277489.tif 000004
【００８４】
＜実施例２＞
下記表４に示すように、実施例１の組成物１に用いている溶剤の種類を種々変えた他は、実施例１と同様にして評価を行った。
【００８５】
結果を表５に示す。
【００８６】
これより、実施例１の結果も踏まえると、溶剤としてはシリコーンが好ましく、中でもヘプタメチルオクチルトリシロキサンが特に好ましいことがわかる。
【００８７】
また、組成物２〜１０の各組成物は何れも、７０℃においても、−２℃においても透明な性状を保っていた。
【００８８】
【表４】
表４
─────────────────────────────────
クエン酸ナトリウム                              ０．２重量部
溶剤＊                                          ８    重量部
デカグリセリンペンタオレート                    ２    重量部
ジプロピレングリコール                        １４    重量部
ＰＯＥ（７）（カプリル酸／カプリン酸）グリセルズ
（セチオールＨＥ８１０）                                ６    重量部
ジオレイン酸ポリエチレングリコール（６００）    ４０    重量部
アルキルポリグルコシド
（グルコポン２１５ＣＳＵＰ）                            １    重量部
ポリオキシアルキレンアルキルエーテル
（アデカトールＬＢ−９３）                              ４    重量部
２−アルキル−Ｎ−カルボキシメチル−Ｎ−
ヒドロキシエチルイミダゾリニウム
（オバゾリン６６２Ｔ）                              １    重量部
エタノール                                          ２    重量部
水                                              ２１．８重量部
─────────────────────────────────
但し、表４中溶剤＊の詳細は、表５に記す。
【００８９】
【表５】
2004277489.tif 000005
【００９０】
＜実施例３＞
下記表６に示すように、組成物１の２−アルキル−Ｎ−カルボキシメチル−Ｎ−ヒドロキシエチルイミダゾリニウムを他の成分に代えた他は、実施例１と同様にして評価を行った。
【００９１】
結果を表７に示す。
【００９２】
これより本発明の洗浄料組成物においては、ベタインを含有すると好ましいことがわかる。
【００９３】
また、組成物１１〜１７の各組成物は何れも、７０℃においても、−２℃においても透明な性状を保っていた。
【００９４】
【表６】
表６
────────────────────────────────
クエン酸ナトリウム                              ０．２重量部
ヘプタメチルオクチルトリシロキサン              ８    重量部
デカグリセリンペンタオレート                    ２    重量部
ジプロピレングリコール                        １４    重量部
ＰＯＥ（７）（カプリル酸／カプリン酸）グリセルズ
（セチオールＨＥ８１０）                              ６    重量部
ジオレイン酸ポリエチレングリコール（６００）    ４０    重量部
アルキルポリグルコシド
（グルコポン２１５ＣＳＵＰ）                            １    重量部
ポリオキシアルキレンアルキルエーテル
（アデカトールＬＢ−９３）                              ４    重量部
表７に示す成分                                    １    重量部
エタノール                                          ２    重量部
水                                              ２１．８重量部
────────────────────────────────
【００９５】
【表７】
2004277489.tif 000006
【００９６】
＜実施例４＞
下記表８に示すように、実施例１の組成物１のポリエチレングリコールのジ脂肪酸エステルの種類を変えた他は、実施例１と同様にして検討を行った。
【００９７】
結果を表９に示す。
【００９８】
これより本発明の洗浄料組成物においては、ポリエチレングリコール（６００）のジオレイン酸エステルが特に好ましいことがわかる。
【００９９】
また、組成物１８〜２０の各組成物は何れも、７０℃においても、−２℃においても透明な性状を保っていた。
【０１００】
【表８】
表８
─────────────────────────────────
クエン酸ナトリウム                              ０．２重量部
ヘプタメチルオクチルトリシロキサン              ８    重量部
デカグリセリンペンタオレート                    ２    重量部
ジプロピレングリコール                        １４    重量部
ＰＯＥ（７）（カプリル酸／カプリン酸）グリセルズ
（セチオールＨＥ８１０）                              ６    重量部
表９の成分                                    ４０    重量部
アルキルポリグルコシド
（グルコポン２１５ＣＳＵＰ）                            １    重量部
ポリオキシアルキレンアルキルエーテル
（アデカトールＬＢ−９３）                              ４    重量部
２−アルキル−Ｎ−カルボキシメチル−Ｎ−
ヒドロキシエチルイミダゾリニウム
（オバゾリン６６２Ｔ）                              １    重量部
エタノール                                          ２    重量部
水                                              ２１．８重量部
─────────────────────────────────
【０１０１】
【表９】
2004277489.tif 000007
【０１０２】
＜実施例５＞
上記実施例と同様に、下記表１０に示す処方に従って、本発明の塗布具用の洗浄組成物である、組成物２１を作成した。
【０１０３】
このものはー２℃及び７０℃で溶状に曇が見られたが、化粧料除去効果がスコア４で、ベタツキがスコア５であり、良好な化粧料除去効果を示すことが確認できた。
【０１０４】
【表１０】
─────────────────────────────────
表１０
クエン酸ナトリウム                              ０．２重量部
ヘプタメチルオクチルトリシロキサン              ８    重量部
デカグリセリンペンタオレート                    ２    重量部
ジプロピレングリコール                        １４    重量部
ジオレイン酸ポリエチレングリコール（６００）  ４０    重量部
アルキルポリグルコシド
（グルコポン２１５ＣＳＵＰ）                            １    重量部
ポリオキシアルキレンアルキルエーテル
（アデカトールＬＢ−９３）                              ４    重量部
２−アルキル−Ｎ−カルボキシメチル−Ｎ−
ヒドロキシエチルイミダゾリニウム
（オバゾリン６６２Ｔ）                              １    重量部
エタノール                                          ２    重量部
水                                              ２７．８重量部
─────────────────────────────────
【０１０５】
＜実施例６＞
下記表１１に示すように、本発明の化粧料の塗布具用の洗浄料について、実施例１の両性界面活性剤の種類を変えた他は、実施例１と同様にして検討を行った。
【０１０６】
検討項目は、化粧料除去効果、ベタツキ、−２℃に於ける性状（曇の有無；低温安定性）とした。
【０１０７】
同時に、両性界面活性剤を水に置換した組成物３０も作成し、同様に評価した。
【０１０８】
結果を表１２に示す。ここで、表１２中、オバゾリンＬＢは、ラウリルジメチルアミノ酢酸ベタイン（東邦化学株式会社製）を、オバゾリンＣＡＢは、ヤシ油脂肪酸アミドプロピルベタイン（東邦化学株式会社製）を、デヒトンＫは、ヤシ油脂肪酸アミドプロイルベタイン（日本コグニス株式会社製）を、デヒトンＬ１２は、ラウリン酸アミドプロピルベタイン（日本コグニス株式会社製）を、デヒトンＡＢ３０は、ラウリルジメチルアミノ酢酸ベタイン（日本コグニス株式会社製）を、デリファット１５１は、ラウリルアミノプロピオン酸（日本コグニス株式会社製）を、デリファット１６０ｃは、ラウリルアミノジプロピオン酸ナトリウム液（日本コグニス株式会社製）を、アミノサーファクタントＡＣＤＳ−Ｌは、Ｎ−ヤシ油脂肪酸アシル−Ｌ−グルタミン酸ナトリウム（旭化成株式会社製）をそれぞれ表す。
【０１０９】
これより、本発明の化粧料の塗布具用の洗浄料は、イミダゾリウムベタイン系、アミドベタイン系又はベタイン系両性界面活性剤を含有することにより、更に、著しく優れた洗浄性と、使用性、低温安定性を有することがわかる。取り分け、ラウリルジメチルアミノ酢酸ベタイン及び２−アルキルカルボキシメチル−Ｎ−ヒドロキシエチルイミダゾリニウムが特に好ましい両性界面活性剤であることもわかる。
【０１１０】
【表１１】
2004277489.tif 000008
【０１１１】
【表１２】
2004277489.tif 000009
【０１１２】
＜実施例７＞
下記表１３に示す処方のように、両性界面活性剤の量を変えた他は、実施例６と同様にして検討を行った。
【０１１３】
結果を表１４に示す。
【０１１４】
０．１重量％の添加に於いても、２−アルキルカルボキシメチル−Ｎ−ヒドロキシエチルイミダゾリニウムは１重量％と同様に効果が認められた。
【０１１５】
【表１３】
2004277489.tif 000010
【０１１６】
【表１４】
2004277489.tif 000011
【０１１７】
【発明の効果】
本発明によれば、高融点ワックスを含有するモイストタイプのファンデーションの汚れも落とせるパフ等の塗布具用の洗浄料組成物を提供することができる。